(57)【要約】【課題】  ランプの口金部を耐振動用ソケット体によって支持することにより、外部からの振動等によるランプの振れを効果的に抑制してランプの破損を防止することができる照明器具を提供すること。【解決手段】  照明器具が、灯具本体１と、この灯具本体１内に固設される耐振動用ソケット体２とを備え、前記耐振動用ソケット体２を、ソケットホルダー１０と、このソケットホルダー１０内に保持されるソケット２０と、前記ソケットホルダー１０とソケット２０との間に介在する緩衝部材３０とから構成する。【選択図】図１
2006269401.tif 000002
【特許請求の範囲】
【請求項１】
灯具本体と、前記灯具本体内に固設される耐振動用ソケット体とを備え、
前記耐振動用ソケット体が、ソケットホルダーと、このソケットホルダー内に保持されるソケットと、前記ソケットホルダーと前記ソケットとの間に介在される緩衝部材とから成ることを特徴とする照明器具。
【請求項２】
前記ソケットホルダーが、ランプの挿通側の一端に、内側に向かって形成されたフランジを有するソケットホルダー本体と、前記ソケットホルダー本体の他端を閉塞し、開口端に外側に向かって形成されたフランジを有する蓋体とを備え、
前記緩衝部材が、ソケットホルダー本体の一端側の内周面とソケットの開口端側の外周面との間に介在して、中央にランプが挿通する挿通孔と、下面に前記挿通孔の孔縁に沿って凹設されて、前記ソケットの開口端を嵌合するための嵌合溝とを有する上方緩衝部材と、ソケットホルダー本体の下端側の内周面とソケットの底部側の外周面との間に介在し、上面に前記ソケットの底部を嵌合するための嵌合凹部を有した下方緩衝部材とから成ることを特徴とする請求項１に記載の照明器具。
【請求項３】
前記ソケットホルダー本体の内壁に、このソケットホルダー本体の長手方向の全長にわたって突設される嵌合突起が、当該ソケットホルダー本体の内周面に沿って複数形成され、
前記上方緩衝部材の外周面に、前記ソケットホルダー本体の複数の嵌合突起を各々嵌合するための複数の切欠部が形成され、
前記下方緩衝部材の外周面に、前記ソケットホルダー本体の複数の嵌合突起を各々嵌合するための複数の切欠部が形成されていることを特徴とする請求項１又は請求項２に記載の照明器具。
【請求項４】
前記ソケットホルダー本体の内壁に、このソケットホルダー本体の長手方向の全長にわたって突設される嵌合突起が、当該ソケットホルダー本体の内周面に沿って複数形成され、
前記上方緩衝部材の外周面に、前記ソケットホルダー本体の嵌合突起を嵌合するために隙間をあけて配置した多数の外側弾性突起が突設され、
前記下方緩衝部材の外周面に、前記ソケットホルダー本体の嵌合突起を嵌合するために隙間をあけて配置した多数の外側弾性突起が突設されていることを特徴とする請求項１又は請求項２に記載の照明器具。
【請求項５】
前記上方緩衝部材の嵌合溝の内周面に、多数の内側弾性突起が突設され、
前記下方緩衝部材の嵌合凹部の内周面に、多数の内側弾性突起が突設されていることを特徴とする請求項１乃至請求項４のいずれか一項に記載の照明器具。
【請求項６】
前記上方緩衝部材、前記上方緩衝部材の厚さ方向に貫通する緩衝孔が当該上方緩衝部材の周方向に沿って多数形成され、
前記下方緩衝部材に、この下方緩衝部材の厚さ方向に貫通する緩衝孔が当該下方緩衝部材の周方向に沿って多数形成されていることを特徴とする請求項１乃至請求項５のいずれか一項に記載の照明器具。
【請求項７】
前記上方緩衝部材の上面に、前記ランプのネック部を保持するランプ保持部が当該上方緩衝部材の挿通孔の孔縁に沿って立設されていることを特徴とする請求項１乃至請求項６のいずれか一項に記載の照明器具。
【発明の詳細な説明】
【技術分野】
【０００１】
本発明は、耐振動用ソケット体を備える照明器具に関するもので、さらに詳細には、ランプの口金部を弾性的に支持する耐振動用ソケット体を備える照明器具に関するものである。
【背景技術】
【０００２】
各種工場施設の産業用照明や、高速道路、街路等の道路用照明に用いる照明器具は、支柱等に取り付けた灯具本体内のソケットに口金部を嵌め込んで、そのソケットに保持されたランプに、機械の作動や車の走行などによって生ずる振動が伝わって、該ランプが振動したり、あるいは灯具本体が地震や強風の影響で大きく揺れ動いてランプが振れるなどして、そのランプが破損するおそれがある。
【０００３】
このため、従来は、灯具本体内部の周側面の一つの面にはランプ保持用のソケットを備え、前記周側面と逆側の周側面には前記ソケットと中心軸を同軸になるように取付けられた伸縮可能なランプ支持機構、又はソケットに対して着脱可能なランプ支持機構を備えたものが提案されている。（特許文献１参照）
【特許文献１】特開平６−１８１００４号公報
【発明の開示】
【発明が解決しようとする課題】
【０００４】
前記従来の技術によれば、ランプの先端部を伸縮可能なランプ支持機構（コイルスプリング）によって支持することにより、外部からの振動等によるランプの振れを抑制してランプの破損を防止することができるものである。
【０００５】
しかし、かかる従来のものにおいては、ランプの口金部に嵌め込まれるソケットが、灯具本体に対して弾性的に支持されていないため、即ち、ソケットの振動を吸収緩和することができないため、外部からの振動等によるランプの振れを抑制するために十分な緩衝効果が得られないものであった。
【０００６】
そこで本発明は、このような従来技術の問題点を解決すべく提案されたものであり、その主な目的は、ランプの口金部を耐振動用ソケット体によって支持することにより、外部からの振動等によるランプの振れを抑制して、ランプの破損を防止することができる照明器具を提供することにある。
【課題を解決するための手段】
【０００７】
このような本発明の目的は請求項１に記載の照明器具によって達成され、本発明による照明器具は、灯具本体と、この灯具本体内に固設される耐振動用ソケット体とを備え、前記耐振動用ソケット体は、ソケットホルダーと、このソケットホルダー内に保持されるソケットと、前記ソケットホルダーと前記ソケットとの間に介在する緩衝部材とから成ることを特徴とする。
【０００８】
このような構成によれば、ランプの口金部を耐振動用ソケット体によって支持することにより、外部からの振動等によるランプの振れを抑制し得て、ランプの破損を防止することができる。
【０００９】
また、請求項２に記載の発明は、請求項１に記載の照明器具に関連して、前記ソケットホルダーは、ランプの挿通側一端に、内方に向かって形成されたフランジを有するソケットホルダー本体と、このソケットホルダー本体の他端を閉塞し、開口端に外方に向かって形成されたフランジを有する蓋体とからなり、前記緩衝部材が、ソケットホルダー本体の一端側の内周面とソケットの開口端側の外周面との間に介在し、中央にランプが挿通する挿通孔と、下面に前記挿通孔の孔縁に沿って凹設され、前記ソケットの開口端を嵌合するための嵌合溝とを有した上方緩衝部材と、ソケットホルダー本体の下端側内周面とソケットの底部側外周面との間に介在し、上面に前記ソケットの底部を嵌合するための嵌合凹部を有した下方緩衝部材とから成ることを特徴とする。
【００１０】
このような構成によれば、ソケットはソケットホルダー本体内に上方と下方緩衝部材によって弾性的に保持されているので、外部からの振動等によってソケットがソケットホルダー本体に対して上方及び下左右に振れろうとした場合に、この振れが上方及び下方緩衝部材の弾性効力により吸収され、それによってランプへの振動伝達を少なくすることができる。つまり、ランプの振動を抑制することができる。
【００１１】
また、請求項３に記載の発明は、請求項１又は請求項２に記載の照明器具に関連して、前記ソケットホルダー本体の内壁に、このソケットホルダー本体の長手方向の全長に亙って突設される嵌合突起が当該ソケットホルダー本体の内周面に沿って複数形成され、前記上方緩衝部材の外周面に、前記ソケットホルダー本体の複数の嵌合突起を各々嵌合するための複数の切欠部が形成され、前記下方緩衝部材の外周面に、前記ソケットホルダー本体の複数の嵌合突起を各々嵌合するための複数の切欠部が形成されていることを特徴とする。
【００１２】
このような構成によれば、上方及び下方緩衝部材はソケットホルダー本体内に、嵌合突起と切欠部との嵌合によって回転不能に保持されているので、外部からの振動等によってソケットを保持する上方及び下方緩衝部材が、ソケットホルダー本体に対して周回方向に回転しようとした場合に、この回転が嵌合突起と切欠部との嵌合により阻止され、これによりランプへの振動伝達をより少なくすることができる。
【００１３】
また、請求項４に記載の発明は、請求項１又は請求項２に記載の照明器具に関連して、前記ソケットホルダー本体の内壁に、このソケットホルダー本体の長手方向の全長に亙って突設される嵌合突起が当該ソケットホルダー本体の内周面に沿って複数形成され、前記上方緩衝部材の外周面に、前記ソケットホルダー本体の嵌合突起を嵌合するために隙間あけて配置した多数の外側弾性突起が突設され、前記下方緩衝部材の外周面に、前記ソケットホルダー本体の嵌合突起を嵌合するために隙間をあけて配置した多数の外側弾性突起が突設されていることを特徴とする。
【００１４】
このような構成によれば、上方及び下方緩衝部材はソケットホルダー本体内に隣接する外側弾性突起の隙間に、嵌合突起が嵌合することによって回転不能に保持されているので、外部からの振動等によってソケットを保持する上方及び下方緩衝部材がソケットホルダー本体に対して周方向に回転しようとした場合に、この回転は隣接する外側弾性突起の隙間に嵌合突起が嵌合することによって阻止され、これによりランプへの振動伝達をより少なくすることができる。さらに、ソケットホルダー本体の内周面と上方及び下方緩衝部材の外周面との間を外側弾性突起によって振動伝達性の低い点接触状態とすることができるので、ランプへの振動伝達をより一層少なくすることができる。且つ、ソケットホルダー本体と上方及び下方緩衝部材との組立てが容易になる。
【００１５】
また、請求項５記載の発明は、請求項１乃至請求項４のいずれか一項に記載の照明器具に関連して、前記上方緩衝部材の嵌合溝の内周面に、多数の内側弾性突起が突設され、前記下方緩衝部材の嵌合凹部の内周面に、多数の内側弾性突起が突設されていることを特徴とする。
【００１６】
このような構成によれば、上方緩衝部材の嵌合溝の内周面とソケットの開口端側外周面との間、並びに下方緩衝部材の嵌合凹部の内周面とソケットの底部側外周面との間を、内側弾性突起によって振動伝達の低い点接触状態とすることができるので、ランプへの振動伝達をより一層少なくすることができる。
【００１７】
また、請求項６記載の発明は、請求項１乃至請求項５のいずれか一項に記載の照明器具に関連して、前記上方緩衝部材に、この上方緩衝部材の厚さ方向（軸線方向と平行）に貫通する緩衝孔が当該上方緩衝部材の周回方向に沿って多数形成され、前記下方緩衝部材に、この下方緩衝部材の厚さ方向に貫通する緩衝孔が当該下方緩衝部材の周回方向に沿って多数形成されていることを特徴とする。
【００１８】
このような構成によれば、上方及び下方緩衝部材に緩衝孔を形成することによって振動伝達をより低い状態とすることができるので、ランプへの振動伝達をより一層少なくすることができる。
【００１９】
また、請求項７記載の発明は、請求項１乃至請求項６のいずれか一項に記載の照明器具に関連して、前記上方緩衝部材の上面に、前記ランプのネック部を保持するランプ保持部が当該上方緩衝部材の挿通孔の孔縁に沿って立設されていることを特徴とする。
【００２０】
このような構成によれば、ランプは、そのネック部が上方緩衝部材のランプ保持部によっても弾性的に保持されているので、外部からの振動等によってランプがソケットに対して上方及び下左右に振れ回ろうとした場合に、この振れが上方緩衝部材のランプ保持部の弾性力により吸収され、これによりランプの振動をより一層抑制することができる。
【発明の効果】
【００２１】
本発明の耐振動用ソケット体を備える照明器具に関して、ソケットホルダー内に緩衝部材を介してソケットが保持され、該ソケットに前記ソケットホルダーの一端から挿入されるランプの口金部が保持されていることにより、外部からの振動等をランプに伝達させ難くすることができ、よってランプの振動を効果的に抑制し得て、ランプの破損を防止することができる。
【発明を実施するための最良の形態】
【００２２】
以下、この発明の好適な一実施の形態を添付の図面を参照して詳細に説明する。
【実施例】
【００２３】
図１は、本発明の一実施例に係る照明器具の要部を断面で示した側面図である。図２は、前記照明器具の耐振動用ソケット体の構成を示した分解斜視図である。図３は、図１のＡ−Ａ線による前記耐振動用ソケット体の横断面図である。図４は、前記耐振動用ソケット体の上方緩衝部材を示す斜視図である。
【００２４】
この実施例による照明器具の形態は、灯具本体１と、この灯具本体１内に固設される耐振動用ソケット体２とに大別して構成されている。
【００２５】
灯具本体１は、図１に示すように、ほぼ有底筒状をなし、開口端に脱着自在に取り付けられた反射鏡１ａを備える通常のものであって、内部には、ランプ３の口金部３ａを嵌め込んで当該ランプ３を保持すると同時に、電源に接続する耐振動用ソケット体２が設置されている。
【００２６】
耐振動用ソケット体２は、図２に示すように、ソケットホルダー本体１０Ａと蓋体１０Ｂとからなるソケットホルダー１０と、前記ソケットホルダー本体１０Ａ内に保持されるソケット２０と、前記ソケットホルダー本体１０Ａと前記ソケット２０との間に介在される上方緩衝部材３０Ａと下方緩衝部材３０Ｂとからなる緩衝部材３０とで構成されている。
【００２７】
ソケットホルダー本体１０Ａは、図１乃至図３に示すように、円筒状をなし、ランプ３の挿通側の一端に、このソケットホルダー本体１０Ａ内に挿入された後述する上方緩衝部材３０Ａが上方に外れないようにするためのフランジ１１が、内方に向かって形成されている。
【００２８】
また、ソケットホルダー本体１０Ａの内壁には、このソケットホルダー本体１０Ａの長手方向の全長にわたって突設される嵌合突起１２が当該ソケットホルダー本体１０Ａの内周面に沿って所定の間隔で複数（この実施の形態では４個）形成されており、これらの嵌合突起１２の下端には、蓋体１０Ｂを結合するためにボルトＢなどの締結手段を取り付ける締結孔１２ａが各々形成されている。
【００２９】
蓋体１０Ｂは、図１及び図２に示すように、前記ソケットホルダー本体１０Ａの他端を閉塞するものであって、ほぼ逆円錐台状をなし、開口端に、前記ソケットホルダー本体１０Ａ内に挿入された後述する下方緩衝部材３０Ｂが下方に外れないようにするためのフランジ１３が外方に向かって形成されている。
【００３０】
また、このフランジ１３には、前記の複数の嵌合突起１２の締結孔１２ａに各々対応する位置に、ボルトＢなどの締結手段が挿通する挿通孔１３ａが形成されており、これらの挿通孔１３ａを介して前記ボルトＢなどの締結手段を前記締結孔１２ａに各々取り付けることにより、前記ソケットホルダー本体１０Ａと蓋体１０Ｂとが結合される。
【００３１】
さらに、蓋体１０Ｂの底部１４のほぼ中央には、電源供給用の配線コードが貫通する貫通孔１４ａが形成されている。また、符号１４ｂは、蓋体１０Ｂを灯具本体１の底部に固設するための締結孔を示す。
【００３２】
ソケット２０は、図１乃至図３に示すように、前記ソケットホルダー本体１０Ａ内に後述する上方及び下方緩衝部材３０Ａ、３０Ｂを介して保持されるものであって、有底筒状をなし、底部２１に電源供給用の配線コードが貫通する１対の貫通孔２１ａが形成されている。
【００３３】
またソケット２０内には図示しないが、配線コードが接続される接続端子が電気的に配置されている。
【００３４】
上方緩衝部材３０Ａは、図１、図２及び図４に示すように、前記ソケットホルダー本体１０Ａの一端側の内周面と前記ソケット２０の開口端側の外周面との間に介在されるものであって、ゴム等の弾性を有する材料でほぼ環形の板状に形成され、中央にランプ３が挿通する挿通孔３１と、下面に前記ソケット２０の開口端を嵌合するため、前記挿通孔３１の孔縁に沿って凹設された環状の嵌合溝３２と、上面にランプ３のネック部を保持するため、前記挿通孔３１の孔縁に沿って立設された円筒状のランプ保持部３３とを有している。
【００３５】
また、上方緩衝部材３０Ａの外周面には、前記ソケットホルダー本体１０Ａの複数の嵌合突起１２を各々嵌合するために複数（この実施の形態では４個）の切欠部３４が所定の間隔で形成されている。
【００３６】
さらに、上方緩衝部材３０Ａには、この上方緩衝部材３０Ａの厚さ方向に貫通する緩衝孔３５が、当該上方緩衝部材３０Ａの周回方向に沿って所定の間隙をあけて多数形成されている。
【００３７】
そして、前記上方緩衝部材３０Ａの緩衝孔３５の形状は、図２及び図４に示した形状（円形と長円形が順に配列された形状）に限らず、例えば、図５（ａ）〜（ｆ）に示すような各種形状に形成しても良い。
【００３８】
また、上方緩衝部材３０Ａには、図５（ｇ）に示すように、緩衝孔３５の代わりに環状の緩衝溝３５’を形成しても良く、図５（ｈ）に示すように、緩衝孔３５と緩衝溝３５’を一緒に形成しても良い。
【００３９】
下方緩衝部材３０Ｂは、図１乃至図３に示すように、前記ソケットホルダー本体１０Ａの他端側の内周面と前記ソケット２０の底部側の外周面との間に介在されるものであって、ゴム等の弾性を有する材料でほぼ円板状に形成され、上面にソケット２０の底部２１が嵌合される嵌合凹部３６を有している。そして、この嵌合凹部３６の底部には、電源供給用の配線コードが貫通する１対の貫通孔３６ａが形成されている。
【００４０】
また、下方緩衝部材３０Ｂの外周面には、前記ソケットホルダー本体１０Ａの複数の嵌合突起１２を各々嵌合するための複数（この実施の形態では４個）の切欠部３７が所定の間隔をあけて形成されている。
【００４１】
さらに、下方緩衝部材３０Ｂには、この下方緩衝部材３０Ｂの厚さ方向に貫通する緩衝孔３８が当該下方緩衝部材３０Ｂの周方向に沿って、所定の間隙をあけて多数形成されている。
【００４２】
そして、前記下方緩衝部材３０Ｂの緩衝孔３８の形状は、図２及び図３に示した形状（円形と長円形が順に配列された形状）に限られず、例えば、図示しないが、前記上方緩衝部材３０Ａと同様に、各種形状に形成しても良い。また、下方緩衝部材３０Ｂにも、図示しないが、前記上方緩衝部材３０Ａと同様に、緩衝孔３８の代わりに環状の緩衝溝を、或いは緩衝孔３８と緩衝溝を一緒に形成しても良い。
【００４３】
このように構成された各構成部材が、図１に示すように、組み立てられて使用される。以下に各構成部材の組み立て過程について説明する。
【００４４】
先ず、ソケットホルダー本体１０Ａ内に、このソケットホルダー本体１０Ａの複数の嵌合突起１２を上方緩衝部材３０Ａの複数の切欠部３４に各々嵌合した状態で、上方緩衝部材３０Ａを挿入する。
【００４５】
次に、ソケットホルダー本体１０Ａ内に、前記上方緩衝部材３０Ａの嵌合溝３２にソケット２０の開口端が嵌合されるように施しながらソケット２０を挿入する。
【００４６】
続いて、ソケットホルダー本体１０Ａ内に、このソケットホルダー本体１０Ａの複数の嵌合突起１２を下方緩衝部材３０Ｂの複数の切欠部３７に各々嵌合した状態で、前記ソケット２０の底部２１が下方緩衝部材３０Ｂの嵌合凹部３６に嵌合されるように施しながら、下方緩衝部材３０Ｂを挿入する。
【００４７】
更に、ソケットホルダー本体１０Ａの他端を、ボルトＢなどの締結手段によって蓋体１０Ｂを取り付けることにより、耐振動用ソケット体２が組み立てられる。
【００４８】
最後に、このように組立てられた耐振動用ソケット体２をボルトＢなどの締結手段によって灯具本体１の底部に固設することにより、本発明の照明器具の組立てが完了する。
【００４９】
そして、このように組み立てられた本発明の耐振動用ソケット体２を備えた照明器具は、ソケットホルダー本体１０Ａの一端からランプ３を挿入して、上方及び下方緩衝部材３０Ａ、３０Ｂにより保持されているソケット２０にランプ３の口金部３ａを嵌め込むことにより、ランプ３が保持される。
【００５０】
このような構成により、ソケット２０はソケットホルダー本体１０Ａ内に上方及び下方緩衝部材３０Ａ、３０Ｂによって弾性的に保持されているので、外部からの振動等によってソケット２０がソケットホルダー本体１０Ａに対して上方及び下左右に振れろうとした場合でも、この振れが上方及び下方緩衝部材３０Ａ、３０Ｂの弾性力により吸収され、それによりランプ３への振動伝達をより少なくすることができる。つまり、ランプ３の振動を抑制することができる。
【００５１】
さらに、ランプ３は、そのネック部が上方緩衝部材３０Ａのランプ保持部３３によっても弾性的に保持されているので、外部からの振動等によってランプ３がソケット２０に対して上方及び下左右に振れ回ろうとした場合でも、この振れが上方緩衝部材３０Ａのランプ保持部３３の弾性力により吸収され、それによりランプ３の振動をより一層抑制することができる。
【００５２】
このような作用によって、灯具本体１からソケット２０への外部振動に対して充分な緩衝力を持たせることができ、また、ランプ３がソケット２０に対して上方及び下左右に振れ回ろうとした場合でも、この振動を抑制することができるので、ランプ３の破損を防止することが可能となる。
【００５３】
前記した実施の形態では、上方緩衝部材３０Ａの外周面に、ソケットホルダー本体１０Ａの複数の嵌合突起１２を各々嵌合するために複数の切欠部３４を形成する構成としたが、本発明はこれに限定されるものではない。例えば、図６に示すように、上方緩衝部材３０Ａ’の外周面に、ソケットホルダー本体１０Ａの嵌合突起１２を嵌合するために隙間をあけて配置した半円形（若しくは、三角形等）の多数の外側弾性突起３９ａを突設する構成としても良い。この場合、上方緩衝部材３０Ａ’の嵌合溝３２の内周面に、ソケット２０の開口端側の外周面に点接触する半円形（若しくは、三角形等）の多数の内側弾性突起３９ｂを突設することが望ましい。
【００５４】
このような構成によると、上方緩衝部材３０Ａ’は、前記の上方緩衝部材３０Ａとほぼ同様に、ソケットホルダー本体１０Ａ内に嵌合突起１２を、隣接する外側弾性突起３９ａ、３９ａの隙間に嵌合することによって回転不能に保持されているので、外部からの振動等によってソケット２０を保持する上方緩衝部材３０Ａ’がソケットホルダー本体１０Ａに対して周方向に回転しようとした場合に、この回転が前記の嵌合により阻止され、これによりランプ３への振動伝達をより少なくすることができる。さらに、ソケットホルダー本体１０Ａの内周面と上方緩衝部材３０Ａ’の外周面との間を、外側弾性突起３９ａによって振動伝達の低い点接触状態とすることができるので、ランプ３への振動伝達をより一層少なくすることができる。また更に、ソケットホルダー本体１０Ａと上方緩衝部材３０Ａ’との組立てが容易になる。
【００５５】
さらには、上方緩衝部材３０Ａ’の嵌合溝３２の内周面とソケット２０の開口端側外周面との間を、内側弾性突起３９ｂによって振動伝達の低い点接触状態とすることができるので、ランプ３への振動伝達をより一層少なくすることができる。
【００５６】
また、前記した実施の形態では、下方緩衝部材３０Ｂの外周面に、ソケットホルダー本体１０Ａの複数の嵌合突起１２を各々嵌合するために複数の切欠部３７を形成する構成としたが、本発明はこれに限定されるものではない。例えば、図７に示すように、下方緩衝部材３０Ｂ’の外周面に、ソケットホルダー本体１０Ａの嵌合突起１２を嵌合するために隙間をあけて配置した三角形（若しくは、半円形等）の多数の外側弾性突起３９ａを突設する構成としても良い。この場合、下方緩衝部材３０Ｂ’の嵌合凹部３６の内周面に、ソケット２０の底部側の外周面に点接触する三角形（若しくは、半円形等）の多数の内側弾性突起３９ｂを突設することが望ましい。
【００５７】
このような構成により、下方緩衝部材３０Ｂ’は、前記の下方緩衝部材３０Ｂとほぼ同様に、ソケットホルダー本体１０Ａ内に嵌合突起１２を、隣接する外側弾性突起３９ａ、３９ａの隙間に嵌合することによって回転不能に保持されているので、外部からの振動等によってソケット２０を保持する下方緩衝部材３０Ｂ’がソケットホルダー本体１０Ａに対して周方向に回転しようとした場合でも、この回転が前記の嵌合により阻止され、これによりランプ３への振動伝達をより少なくすることができる。さらに、ソケットホルダー本体１０Ａの内周面と下方緩衝部材３０Ｂ’の外周面との間を、外側弾性突起３９ａによって振動伝達の低い点接触状態とすることができるので、ランプ３への振動伝達をより一層少なくすることができる。加えて、ソケットホルダー本体１０Ａと下方緩衝部材３０Ｂ’との組立てが容易になる。
【００５８】
さらには、下方緩衝部材３０Ｂ’の嵌合凹部３６の内周面とソケット２０の底部側外周面との間を内側弾性突起３９ｂによって振動伝達の低い点接触状態とすることができるので、ランプ３への振動伝達をより一層少なくすることができる。
【００５９】
なお、上方及び下方緩衝部材３０Ａ、３０Ｂが、前記した実施の形態のものに限定されるものではなく、必要に応じて種々変更することが可能である。
【００６０】
また前記した実施の形態では、緩衝部材３０が、上方緩衝部材３０Ａと下方緩衝部材３０Ｂとからなる構成としたが、これに限られず、単一又は三つ以上の緩衝部材からなるように構成しても良い。
【００６１】
また、前記した実施の形態では、灯具本体１内に耐振動用ソケット体２を固設する構成としたが、ソケットホルダー本体１０Ａを灯具本体１として使用しても良い。即ち、ソケットホルダー本体１０Ａのフランジ１１に脱着自在に取り付けられた反射鏡１ａを備える構成としても良い。
【図面の簡単な説明】
【００６２】
【図１】本発明の一実施の形態に係る照明器具の要部を断面で示した側面図。
【図２】前記照明器具の耐振動用ソケット体の構成を示す分解斜視図。
【図３】図１のＡ−Ａ線による前記耐振動用ソケット体の横断面図。
【図４】前記耐振動用ソケット体の上方緩衝部材を示す斜視図。
【図５】前記上方緩衝部材の変形例を示す平面図。
【図６】前記上方緩衝部材の他の変形例を示す底面図。
【図７】前記下方緩衝部材の変形例を示す平面図。
【符号の説明】
【００６３】
１      灯具本体
２      耐振動用ソケット体
３      ランプ
１０    ソケットホルダー
１０Ａ  ソケットホルダー本体
１０Ｂ  蓋体
１２    嵌合突起
２０    ソケット
３０    緩衝部材
３０Ａ  上方緩衝部材
３０Ｂ  下方緩衝部材
３１    挿通孔
３２    嵌合溝
３３    ランプ保持部
３４    切欠部
３５    緩衝孔
３６    嵌合凹部
３７    切欠部
３８    緩衝孔
３９ａ  外側弾性突起
３９ｂ  内側弾性突起
【図１】
2006269401.tif 000003
【図２】
2006269401.tif 000004
【図３】
2006269401.tif 000005
【図４】
2006269401.tif 000006
【図５】
2006269401.tif 000007
【図６】
2006269401.tif 000008
【図７】
2006269401.tif 000009